(57)【要約】  【課題】従来の清掃器具においては、棚面、床面などに蓄積した塵埃、汚れなどを完全に除去できるものではなく、完全に除去するためには、清掃器具を大型化したり、複雑にしなければならなかった。  【解決手段】通気孔を有する回転部材を、吸引孔を有する筒状の吸引軸体に回転自在に取り付け、該吸引軸体は吸引パイプを介して吸引装置に連結するとともに、前記回転部材の外周面には捕集シートを装着し、前記回転部材は前記吸引軸体に対して、回転自在状態と回転抑制状態とを回転制御体で選択自在とし、前記吸引装置で吸引しながら前記回転部材の回転自在状態において捕集シートに塵埃を捕集させ、前記回転部材の回転抑制状態において清掃面を清拭するようにしたことを特徴とする。  【選択図】図２
2008119266.tif 000002
【特許請求の範囲】
【請求項１】
通気孔を有する回転部材を、吸引孔を有する筒状の吸引軸体に回転自在に取り付け、該吸引軸体は吸引パイプを介して吸引装置に連結するとともに、前記回転部材の外周面には捕集シートを装着し、前記吸引装置で吸引しながら前記回転部材を回動し、前記回転部材の通気孔及び前記吸引軸体の吸引孔からの吸引により捕集シートに塵埃を捕集することを特徴とする清掃器具。
【請求項２】
通気孔を有する回転部材を、吸引孔を有する筒状の吸引軸体に回転自在に取り付け、該吸引軸体は吸引パイプを介して吸引装置に連結するとともに、前記回転部材の外周面には捕集シートを装着し、前記回転部材は前記吸引軸体に対して、回転自在状態と回転抑制状態とを回転制御体で選択自在とし、前記吸引装置で吸引しながら前記回転部材の回転自在状態において捕集シートに塵埃を捕集させ、前記回転部材の回転抑制状態において清掃面を清拭するようにしたことを特徴とする清掃器具。
【請求項３】
回転制御体が、吸引軸体を保持しながら吸引パイプと接続するＴ字管と回転部材との 間に配設される係止円筒と、二枚の押圧板と、該押圧板の間に挟着される弾性部材からなり、前記係止円筒は前記Ｔ字管と係合自在になるように形成され、係止円筒とＴ字管の係合位置によって前記弾性部材の反発力を変化させることにより、回転部材側の押圧板が回転部材に押しつけられ、回転部材の回転を制御することを特徴とする請求項２記載の清掃器具。
【請求項４】
回転部材に巻装する捕集シートが不織布またはパイル織物であることを特徴とする請求項１乃至３に記載の清掃器具。
【請求項５】
吸引軸体に形成される吸引孔を清掃面側に対向して偏在させ、清掃面からの吸引力を向上させたことを特徴とする請求項１乃至４に記載の清掃器具。
【発明の詳細な説明】
【技術分野】
【０００１】
本発明は、電気掃除機、吸引ポンプなどの吸引装置に接続して使用される清掃器具で、床面、棚面などの清掃面に蓄積した糸くず、毛髪、砂、泥、パンくずなどの塵埃を簡便に、効率よく吸引しながら捕集シートに捕集する清掃器具に関するものである。また、清掃面に付着していて、捕集シートによって除かれなかった各種の汚れを拭きながら完全に除去できるようにした清掃器具に関するものである。
【背景技術】
【０００２】
従来から、吸引装置に接続して、塵埃を吸引しながら清掃を行う清掃器具は良く知られている。しかし、このような清掃器具においては、吸引装置の吸引力だけで塵埃を捕集するもので、大きな塵埃に対しては、効率よく取り除くことができるが、棚面、床面などに蓄積している細かな塵埃については、完全に除くことは困難であった。
【０００３】
また、吸引力を用いずに、粘着シートの粘着性を利用してカーペット、衣服などに絡まった塵埃を除去するロール状の粘着シートもよく知られているが、この場合は、繊維に絡まった細かな塵埃を除去するには適しているが、適用範囲が狭く、棚面、床面などの清掃面に蓄積した塵埃、汚れなどを除去するには向いているものではなかった。
【０００４】
このように、各種の清掃器具が知られているが、棚面、床面などに蓄積した塵埃、汚れなどを完全に除去できるものではなく、完全に除去するためには、清掃器具を大型化したり、複雑な構造にしなければならないものであった。
【０００５】
特に、棚面、床面などに付着した汚れについては、吸引操作だけでは除去することができなく、吸引掃除をした後に雑巾を用いて、拭き掃除するのが一般的で、手間がかかるものであった。このような手間をかけることなく、棚面、床面などの清掃面を簡便な手段で、完全に清掃できる手段が望まれていた。このような要望に対応するために、拭き掃除機能を付加した掃除機が特開平１０−２４８７６８号公報、特開平１０−２４８７７９号公報などに開示されている。
【０００６】
【特許文献１】特開平１０−２４８７６８号公報
【特許文献２】特開平１０−２４８７７９号公報
【発明の開示】
【発明が解決しようとする課題】
【０００７】
上記従来技術の清掃器具においては、前述したように構成が複雑で実用性に乏しく、特に拭き掃除機能部分の着脱、交換に手間がかかるものであった。
【０００８】
本発明は、前記課題を解決し、棚面、床面などの清掃面に蓄積した塵埃、汚れなどを簡便な手段で、効率よく、清掃することができる清掃器具を提供するものである。
【課題を解決するための手段】
【０００９】
上記問題を解決するためにこの発明の採った手段は、通気孔を有する回転部材を、吸引孔を有する筒状の吸引軸体に回転自在に取り付け、該吸引軸体は吸引パイプを介して吸引装置に連結するとともに、前記回転部材の外周面には捕集シートを装着し、前記吸引装置で吸引しながら前記回転部材を回動し、前記回転部材の通気孔及び前記吸引軸体の吸引孔からの吸引により捕集シートに塵埃を捕集することを特徴とする。
【００１０】
また、通気孔を有する回転部材を、吸引孔を有する筒状の吸引軸体に回転自在に取り付け、該吸引軸体は吸引パイプを介して吸引装置に連結するとともに、前記回転部材の外周面には捕集シートを装着し、前記回転部材は前記吸引軸体に対して、回転自在状態と回転抑制状態とを回転制御体で選択自在とし、前記吸引装置で吸引しながら前記回転部材の回転自在状態において捕集シートに塵埃を捕集させ、前記回転部材の回転抑制状態において清掃面を清拭するようにしたことを特徴とする。
【００１１】
また、回転制御体が、吸引軸体を保持しながら吸引パイプと接続するＴ字管と回転部材との間に配設される係止円筒と、二枚の押圧板と、該押圧板の間に挟着される弾性部材からなり、前記係止円筒は前記Ｔ字管と係合自在になるように形成され、係止円筒とＴ字管の係合位置によって前記弾性部材の反発力を変化させることにより、回転部材側の押圧板が回転部材に押しつけられ、回転部材の回転を制御することを特徴とする。
【００１２】
また、吸引軸体に形成される吸引孔を清掃面側に対向して偏在させ、清掃面からの吸引力を向上させたことを特徴とする。
【発明の効果】
【００１３】
本発明によれば、捕集シートを巻装した回転部材の回転と電気掃除機、吸引ポンプなどの吸引力を利用して、棚面、床面などに蓄積した塵埃を簡便に捕集シートに捕集することができ、捕集シートが汚れた場合も、回転部材から取り外し、そのまま廃棄できる。また、棚面、床面などに付着している汚れについても、回転部材の回転を抑制して、拭きながら清掃できるので、あらゆる塵埃、汚れを簡単に除去できるという効果も有する。
【発明を実施するための最良の形態】
【００１４】
本発明の清掃器具の各構成について説明する。回転部材は、吸引軸体に取り付けられ、吸引軸体を軸として回転する円筒形の部材で、吸引軸体より大きめの太さを有する。回転部材は、回転部材の外周面から内周面に貫通する複数の通気孔を有し、吸引装置からの吸引作用が吸引軸体を経由して回転部材の通気孔に及ぶようになっている。回転部材の通気孔の開口比率は、清掃対象によって異なるが、一般的に３０〜４０％である。
【００１５】
回転部材の両端部には、吸引軸体の外径よりやや大きめの軸孔を有する軸受板が嵌め込まれ、該軸孔に吸引軸体が差し込まれ、吸引軸体が回転軸になって回転部材が回転自在となっている。軸受板は、厚さ３〜１０ｍｍのポリプロピレン樹脂、アクリル樹脂などを用いて作ることができる。
【００１６】
回転部材は、アルミ、ステンレスなどの金属、塩化ビニル樹脂、ポリプロピレン樹脂、アクニルニトリル−ブタジエン−スチレン樹脂などのプラスチックから作られ、回転部材の外周面には、通気性を有する捕集シートが巻装され、吸引状態で回転部材を回転させながら、捕集シートに塵埃が効率よく捕集されるようになっている。
【００１７】
回転部材は、外径が１０ｍｍ〜１００ｍｍ、長さ５０ｍｍ〜４００ｍｍの円筒状又は六角形、八角形などの多面柱状のものを使用することができる。回転部材の外径が大きいものは少ない回転で多くの塵埃を捕集できるが、あまり大きいと操作性に影響を与えるので２５ｍｍ〜７０ｍｍの外径のものが好ましい。
【００１８】
捕集シートとしては、通気性を有する不織布、パイル織物などを挙げることができる。不織布としては、一般的に清掃用不織布として使用されているシート状の不織布を使用できる。これらの材質は、ポリオレフィン、ポリエステルなどの合成繊維からなり、繊維径が０．５〜２００デニールで、目付が１０〜３００ｇ／ｍ２のものが好ましい。
【００１９】
パイル織物としては、タオル地などの通常の織物のほかに、ポリアミド、塩化ビニール、ポリオレフィン、ポリエステル、ポリアクリロニトリルなどの繊維からなる繊維径が０．１〜０．５ｍｍ、長さ０．５〜１０ｍｍ、パイル密度１０〜１００本／ｃｍ2のものを使用することができる。また、実公平７−０３３６８２号公報に示されているような、織密度の密な高密度部が間隔をもって繰り返し配置されたタテ糸配列と、織密度の粗なヨコ糸配列とを有する合成重合体フィラメントからなり、各ループの中央先端部が切断開口しているカネボウベルタッチ株式会社製のループパイル織物(ポリエステル製ヘアカーラー)も使用することができる。
【００２０】
捕集シートには、目的に応じて、界面活性剤、着塵剤(流動パラフィンを主成分として、これにワックス、米ぬか油、界面活性剤、抗菌剤などを配合したもの)、除菌剤、消臭剤、酸化防止剤、ワックスなどを含浸させておくことができる。また、回転部材を回転抑制状態にして、拭き操作を行うときに捕集シートに水を吹きかけ、清掃面に付着している汚れを拭きながら取り除くこともできる。
【００２１】
吸引軸体は、回転部材の回転軸となる円筒状の部材で、回転部材と同様に外周面から内周面に貫通する複数の吸引孔を有している。吸引軸体の吸引装置側の端部を吸引装置と直接接続しながら吸引することも可能であるが、吸引軸体を単純な構造にするために、吸引軸体を直線状の管で形成し、両端部にキャップを嵌め込み、吸引軸体の一端部でＴ字管に接続して、Ｔ字管を介して吸引パイプに接続するようにしてある。
【００２２】
吸引軸体の両端は、キャップによって封止し、吸引軸体の吸引孔のみから吸引が行われるようにしている。吸引軸体のキャップの封止位置には、Ｏリングを配設して、気密性を高めることもできる。
【００２３】
吸引軸体に形成される吸引孔は、吸引軸体の外周面全体に渡って均等に形成しても良いが、吸引効率を向上させるために、吸引孔を吸引軸体の清掃面側に対向して偏在させても良い。例えば、図４に見られるように、吸引軸体の長手方向の下半分の面に吸引孔を形成することができる。また、吸引軸体のＴ字管に接続される位置では、吸引軸体の長手方向に沿った長円状の吸引孔を複数形成して、吸引力を高めることもできる。
【００２４】
また、吸引軸体のＴ字管と接続される位置の連通孔については、吸引孔より大きめにして、吸引装置からの吸引力が吸引孔に完全に伝わるようにしている。より具体的には、吸引軸体の長手方向に沿った長円状にすることで、吸引装置からの吸引力を維持することができる。
【００２５】
回転制御体は、回転部材を一方向だけに回転させたり、回転を抑制したり、停止させるためのものであり、この目的のためによく知られているいくつかの機構を利用することができる。例えば、実開平6-03550号公報のように、雑巾ロールを支えるメインシャフトにラチェットホイールを装着して、このラチェットホイールを制御するクリックを組み合わせて、回転部材が一方向にのみ回転するようにしても良い。
【００２６】
本発明で例示する回転制御体は、係止円筒と、二枚の押圧板と、該押圧板の間に挟着される弾性部材から構成されている。係止円筒は、Ｔ字管の外周面に形成された突起と係合する複数の係止溝が円周方向に形成されていて、突起といずれかの係止溝とを係合することにより、弾性部材の反発力が変化するようになっている。例えば、Ｔ字管側に形成された係止溝に突起が係合された場合は、弾性部材の反発力が強くなり、回転部材側の押圧板が回転部材に強く当たり、回転を抑制する。また、回転部材側に形成された係止溝に突起が係合された場合は、弾性部材の反発力が弱くなり、回転部材側の押圧板が回転部材に弱く当たり、回転部材は回転自在となる。
【００２７】
係止円筒に形成される係止溝は、図３において３本形成されているが、この本数に限定されるものではない。弾性部材の反発力、回転の抑制程度を勘案しながら自由に設定することができる。
【００２８】
また、回転制御体は、係止円筒と、二枚の押圧板と、該押圧板の間に挟着される弾性部材から構成されているが、Ｔ字管側の押圧板を係止円筒に置き換えて、同様の回転抑制効果を得ることは言うまでもない。
【００２９】
回転制御体で、回転部材の回転を抑制又は停止させながら、清掃面に付着していて、吸引によって除かれなかった各種の汚れを拭きながら完全に除去できるようになっている。
【００３０】
吸引パイプは、吸引装置と吸引軸体を繋ぐためのパイプで、太さと長さは自由に選択することができる。直線状、Ｌ字状などの形状についても本発明の効果を損なわない範囲で選択することができる。また、伸縮自在の構造としても良い。
【００３１】
本発明の清掃器具について、一実施形態を図面を参照しながら説明を行う。図１において、吸引パイプ(１)は、金属又はプラスチックからなる中空のパイプでＴ字管(11)を介して、吸引孔(21)を有する筒状の吸引軸体(２)に接続されている。吸引軸体(２)には、通気孔(31)を有する回転部材(３)が、回転部材(３)の両端部を係止している軸受板(32)の軸孔(33)を利用して取り付けられ、吸引軸体(２)を軸として回転部材(３)が回転自在になっている。回転部材(３)の外周面には捕集シート(４)が巻装され、吸引パイプ(１)の後端部(12)から吸引装置(図示せず)で吸引を行いながら、手動で回転部材(３)を回転させ清掃を行えるようになっている。
【００３２】
吸引軸体(２)の両端部は、キャップ(22)が嵌め込まれて、吸引孔(21)からのみ吸引が行われるようにしている。吸引軸体(２)とＴ字管(11)とが接続される位置には、長円形の連通孔(23)を複数配置して、吸引装置からの吸引力が吸引孔(21)に完全に伝わるようにしている。
【００３３】
吸引軸体(２)の両端部などの気密性を必要とする部位には、Ｏリング(24)を配設することでより気密性を高めることができる。吸引軸体(２)とＴ字管(11)が接続されている部位でのＯリング(24)の配設状況は図３に示されている。
【００３４】
回転部材(３)の外周面には、捕集シート(４)が両面テープ、接着剤などの周知の手段を用いて巻装される。捕集シート(４)に大量の塵埃が付着した時は、捕集シート(４)を回転部材(３)から剥がして、新たな捕集シート(４)に交換できる。捕集シート(４)は筒状に形成して、回転部材(３)に装着しても良いことは勿論である。
【００３５】
図２の清掃器具について説明する。図２の清掃器具の構成は、基本的に図１と同様であるが、回転部材(３)を抑制又は停止させる回転制御体(５)が、Ｔ字管(11)と回転部材(３)の間に取り付けられている点が異なる。この回転制御体(５)は、回転部材(３)の回転を抑制して、拭き操作をできるようにするためのものであり、吸引と回転部材(３)を回転させながら捕集シート(４)で取り除けなかった清掃面に付着した汚れを拭きながら除去することができるものである。
【００３６】
図３は、前記回転制御体(５)近辺の拡大図であり、回転制御体(５)は、吸引軸体が貫通する孔を有する二枚の押圧板(51)と二枚の押圧板(51)の間に挟着される弾性部材(52)と係合円筒(53)とから構成されている。係合円筒(53)は、Ｔ字管(11)側に配置される押圧板(51)とＴ字管(11)の間に配置され、Ｔ字管(11)の外周面の回転部材(３)側上端に設けられた突起(111)と係合円筒(53)に設けられている係止溝(54)とが係合する。係止溝(54)は、突起(111)を導入する案内溝(55)と直交する方向に３本形成され、３本のいずれかの係止溝(54)と突起(111)が係合することで回転部材(３)へ与える回転部材(３)側の押圧板(51)の力が変化して、回転部材(３)の回転を抑制又は停止することができる。図３において、突起(111)と係止溝(54)との係合状態は、直接的に図示されていないが、突起(111)を右端(回転部材側)の係止溝(54)に係合させた場合は、回転部材(３)は自由な回転状態を保ち、突起(111)を左端(Ｔ字管側)の係止溝(54)に係合させた場合は、回転部材(３)の回転が停止するようにしている。
【００３７】
図４と図５は、吸引軸体(２)の吸引孔(21)の状態を模式的に示した図である。図４Ａは、吸引軸体(２)を側面から見た図で、図４Ｂは、垂直断面を示している。この図において、吸引孔(21)は、吸引軸体(２)の水平方向から下半分の面(清掃面方向)の範囲に分布して形成している。また、図５Ａと図５Ｂにおいては、下半分の面(清掃面方向)より狭くして、垂直断面図から見て、約１／４の下面に形成している。このように、吸引孔(21)の分布を変化させているのは、清掃面に対して、より強い吸引力を与えて、より塵埃を吸引させるためである。
【００３８】
図６は、本発明の清掃器具を使用して、床面を清掃している状況を模式的に示した図である。
【実施例１】
【００３９】
本発明の一実施例について説明する。以下の構成からなる清掃器具を作成し、清掃効果を確認した。清掃効果は３名による目視と指を使った触感で判定した。
(ａ)回転部材：外径５０ｍｍ、長さ２５０ｍｍの塩ビ管で回転部材を作製し、径７ｍｍの通気孔を開孔比３０％になるように回転部材の外周面に均一に形成した。
(ｂ)捕集シート：素材がポリエステル、繊維径が１０デニール、目付が２００ｇ／ｍ２の不織布を使用した。
(ｃ)捕集シート(不織布)の取付方法：回転部材に不織布を二重に巻付け、巻付端を両面テープで固定した。
(ｄ)清掃対象物：ナラ板をはりつけてあるフローリングにパンくず、綿ゴミを適量まいて清掃対象物とした。
(ｅ)清掃方法： 吸引パイプの後端部を電気掃除機の吸引ホースを接続し、電気掃除機で吸引するとともに、吸引パイプを前後させながら回転部材を回転させながら清掃を行った。
(ｆ)結果：３名全員とも散布した塵埃がフローリングから除去されていると判定した。
【実施例２】
【００４０】
次の構成からなる清掃器具を作成し、清掃効果の確認を行った。
(ａ)回転部材：回転部材を外径５０ｍｍ、長さ２５０ｍｍの塩ビ管で作成し、径７ｍｍの通気孔を開孔比３５％になるように形成した。
(ｂ)回転制御体：図２に示す回転制御体をＴ字管と回転部材の間に、吸引軸体が回転制御体を貫通するように取り付けた。
(ｃ)捕集シート：実施例１と同様の不織布を使用した。
(ｄ)清掃対象物：ナラ板をはりつけてあるフローリングに泥、砂、綿ゴミ、毛髪を適量まいて清掃対象物とした。
(ｅ)清掃方法： 吸引パイプの後端部を電気掃除機の吸引ホースを接続し、電気掃除機で吸引するとともに、吸引パイプを前後させながら回転部材を回転させながら清掃を行った後、回転制御体の係止溝にＴ字管の突起を係止して、回転部材の回転を停止させ、フローリングを拭いた。
(ｆ)結果：回転部材の回転による清掃では、泥と砂が残っていたが、回転部材の回転を停止させて、フローリングを拭いた後では、泥と砂を含む全ての塵埃が捕集シートに移動して、完全に清掃されていることが３名で確認できた。
【実施例３】
【００４１】
次の構成からなる清掃器具を作成し、清掃効果の確認を行った。
(ａ)回転部材：回転部材を外径４０ｍｍ、長さ１５０ｍｍのステンレスで作成し、径７ｍｍの通気孔を開孔比４０％になるように形成した。
(ｂ)回転制御体：実施例２と同様の回転制御体を使用した。
(ｃ)捕集シート：糸径０．１５ｍｍ、長さ２ｍｍ、ループ密度５５本／ｃｍ２のフィラメントを有するカネボウベルタッチ株式会社製のループパイル織物(ポリエステル製ヘアカーラー)を回転部材の外周面に取り付けた。
(ｄ)捕集シートの取付方法：両面テープを用いて回転部材の外周面に貼り付けた。
(ｅ)清掃対象物：戸棚上面に蓄積されている塵埃を対象とした。
(ｆ)清掃方法：実施例２と同様の方法で清掃を行った。
(ｇ)結果：戸棚上面の塵埃は見た目に完全に取り除かれ、触感による判定でもザラザラした感触が得られないものであった。
[比較例]
【００４２】
比較例として、実施例１の構成からなる清掃器具に、電気掃除機の吸引ホースを接続しない状態で試験を行った。その結果、綿ゴミは不織布に絡まり、よく取り除かれていたが、パンくずの一部はフローリング面に残ってしまい、満足できる清掃結果ではなかった。
【図面の簡単な説明】
【００４３】
【図１】本発明の清掃器具の一実施態様を示す分解図
【図２】本発明の清掃器具の他の実施態様を示す分解図
【図３】回転制御体近辺を拡大した図
【図４】吸引軸体の吸引孔の一実施態様を示す図
【図５】吸引軸体の吸引孔の他の実施態様を示す図
【図６】フローリングを清掃している状況を示した模式図
【符号の説明】
【００４４】
１  吸引パイプ
11  Ｔ字管
12  後端部
111  突起
２  吸引軸体
21  吸引孔
22  キャップ
23  連通孔
24  Ｏリング
３  回転部材
31 通気孔
32 軸受板
33 軸孔
４  捕集シート
５  回転制御体
51  押圧板
52  弾性部材
53  係合円筒
54  係止溝
55  案内溝
【図１】
2008119266.tif 000003
【図２】
2008119266.tif 000004
【図３】
2008119266.tif 000005
【図４】
2008119266.tif 000006
【図５】
2008119266.tif 000007
【図６】
2008119266.tif 000008
【手続補正書】
【提出日】平成19年11月20日(2007.11.20)
【手続補正１】
【補正対象書類名】特許請求の範囲
【補正対象項目名】全文
【補正方法】変更
【補正の内容】
【特許請求の範囲】
【請求項１】
通気孔を有する回転部材を、吸引孔を有する筒状の吸引軸体に回転自在に取り付け、前記回転部材の外周面には捕集シートを装着し、回転部材を回動しつつ回転部材の通気孔及び吸引軸体の吸引孔からの吸引により、捕集シートに塵埃を捕集可能としたことを特徴とする清掃器具。
【請求項２】
通気孔を有する回転部材を、吸引孔を有する筒状の吸引軸体に、回転自在状態と回転抑制状態とを回転制御体で選択自在に取り付け、回転部材の回転抑制状態において清掃面を清拭するようにしたことを特徴とする請求項１記載の清掃器具。
【請求項３】
回転制御体が、吸引軸体を保持しながら吸引パイプと接続するＴ字管と回転部材との間に配設される係止円筒と、二枚の押圧板と、該押圧板の間に挟着される弾性部材からなり、前記係止円筒は前記Ｔ字管と係合自在になるように形成され、係止円筒とＴ字管の係合位置によって前記弾性部材の反発力を変化させることにより、回転部材側の押圧板が回転部材に押しつけられ、回転部材の回転を制御するようにしたことを特徴とする請求項２記載の清掃器具。
【請求項４】
回転部材に巻装する捕集シートが不織布またはパイル織物であることを特徴とする請求項１乃至３のいずれかに記載の清掃器具。
【請求項５】
捕集シートが、筒状に形成されており、回転部材に装着自在であることを特徴とする請求項１乃至４のいずれかに記載の清掃器具。
【請求項６】
捕集シートが、界面活性剤、着塵剤、除菌剤、消臭剤、酸化防止剤、ワックス、水から選択された液剤を含浸させたシートからなることを特徴とする請求項１乃至５のいずれかに記載の清掃器具。
【請求項７】
吸引軸体に形成される吸引孔を清掃面側に対向して偏在させ、清掃面からの吸引力を向上させたことを特徴とする請求項１乃至６のいずれかに記載の清掃器具。
【手続補正２】
【補正対象書類名】明細書
【補正対象項目名】０００９
【補正方法】変更
【補正の内容】
【０００９】
上記課題を解決するためにこの発明が採った手段は、通気孔を有する回転部材を、吸引孔を有する筒状の吸引軸体に回転自在に取り付け、前記回転部材の外周面には捕集シートを装着し、回転部材を回動しつつ回転部材の通気孔及び吸引軸体の吸引孔からの吸引により、捕集シートに塵埃を捕集可能としたことを特徴とする。
【手続補正３】
【補正対象書類名】明細書
【補正対象項目名】００１０
【補正方法】変更
【補正の内容】
【００１０】
また、通気孔を有する回転部材を、吸引孔を有する筒状の吸引軸体に、回転自在状態と回転抑制状態とを回転制御体で選択自在に取り付け、回転部材の回転抑制状態において清掃面を清拭するようにしたことを特徴とする。
【手続補正４】
【補正対象書類名】明細書
【補正対象項目名】００１１
【補正方法】変更
【補正の内容】
【００１１】
また、回転制御体が、吸引軸体を保持しながら吸引パイプと接続するＴ字管と回転部材との間に配設される係止円筒と、二枚の押圧板と、該押圧板の間に挟着される弾性部材からなり、前記係止円筒は前記Ｔ字管と係合自在になるように形成され、係止円筒とＴ字管の係合位置によって前記弾性部材の反発力を変化させることにより、回転部材側の押圧板が回転部材に押しつけられ、回転部材の回転を制御するようにしたことを特徴とする。
【手続補正５】
【補正対象書類名】明細書
【補正対象項目名】００１２
【補正方法】変更
【補正の内容】
【００１２】
また、捕集シートは、好ましくは筒状に形成されており、回転部材に装着自在であるもの、若しくは、界面活性剤、着塵剤、除菌剤、消臭剤、酸化防止剤、ワックス、水から選択された液剤を含浸させたシートからなる。また、吸引軸体に形成される吸引孔を清掃面側に対向して偏在させ、清掃面からの吸引力を向上させたことを特徴とする。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
吸引パイプに連結自在となる複数の吸引孔を有する筒状の吸引軸体に、複数の通気孔を有する筒状の回転部材を、回転部材の両端部の軸受板の軸孔を介して前記吸引軸体に回転自在に取り付け、前記吸引軸体外面と該回転部材内面から作られる吸引空間を大きく形成し、かつ、前記回転部材の外周面には捕集シートを装着し、回転部材を回動しつつ回転部材の通気孔及び吸引軸体の吸引孔からの吸引により、前記吸引空間全体に吸引力を働かせ、捕集シートに塵埃を捕集可能とすると共に、該捕集した塵埃を捕集シートに保持させることを特徴とする清掃器具。  
【請求項２】
複数の通気孔を有する回転部材を、複数の吸引孔を有する筒状の吸引軸体に、回転自在状態と回転抑制状態とを回転制御体で選択自在に取り付け、回転部材の回転抑制状態において清掃面を清拭するようにしたことを特徴とする請求項１記載の清掃器具。
【請求項３】
回転制御体が、吸引軸体を保持しながら吸引パイプと接続するＴ字管と回転部材との間に配設される係止円筒と、二枚の押圧板と、該押圧板の間に挟着される弾性部材からなり、前記係止円筒は前記Ｔ字管と係合自在になるように形成され、係止円筒とＴ字管の係合位置によって前記弾性部材の反発力を変化させることにより、回転部材側の押圧板が回転部材に押しつけられ、回転部材の回転を制御するようにしたことを特徴とする請求項２記載の清掃器具。
【請求項４】
回転部材に巻装する捕集シートが不織布またはパイル織物であることを特徴とする請求項１乃至３のいずれかに記載の清掃器具。
【請求項５】
捕集シートが、筒状に形成されており、回転部材に装着自在であることを特徴とする請求項１乃至４のいずれかに記載の清掃器具。
【手続補正２】
【補正対象書類名】明細書
【補正対象項目名】０００９
【補正方法】変更
【補正の内容】
【０００９】
上記課題を解決するためにこの発明が採った手段は、吸引パイプに連結自在となる複数の吸引孔を有する筒状の吸引軸体に、複数の通気孔を有する筒状の回転部材を、回転部材の両端部の軸受板の軸孔を介して前記吸引軸体に回転自在に取り付け、前記吸引軸体外面と該回転部材内面から作られる吸引空間を大きく形成し、かつ、前記回転部材の外周面には捕集シートを装着し、回転部材を回動しつつ回転部材の通気孔及び吸引軸体の吸引孔からの吸引により、前記吸引空間全体に吸引力を働かせ、捕集シートに塵埃を捕集可能とすると共に、該捕集した塵埃を捕集シートに保持させることを特徴とする。
【手続補正３】
【補正対象書類名】明細書
【補正対象項目名】００１０
【補正方法】変更
【補正の内容】
【００１０】
また、複数の通気孔を有する回転部材を、複数の吸引孔を有する筒状の吸引軸体に、回転自在状態と回転抑制状態とを回転制御体で選択自在に取り付け、回転部材の回転抑制状態において清掃面を清拭するようにしたことを特徴とする。
【手続補正４】
【補正対象書類名】明細書
【補正対象項目名】００１２
【補正方法】変更
【補正の内容】
【００１２】
また、捕集シートは、好ましくは筒状に形成されており、回転部材に装着自在である。
【手続補正５】
【補正対象書類名】明細書
【補正対象項目名】００１３
【補正方法】変更
【補正の内容】
【００１３】
本発明によれば、清掃器具の基本的な構成が、吸引軸体、回転部材及び捕集シートと非常に単純であるため、軽量で操作性に優れ、凹凸の多い床面はもちろん壁面、天井などあらゆる箇所の清掃が可能である。また、捕集シートを巻装した回転部材の回転と電気掃除機、吸引ポンプなどの吸引力を利用して、棚面、床面などに蓄積した塵埃を簡便に捕集シートに捕集することができ、捕集シートが汚れた場合も、回転部材から取り外し、そのまま廃棄できる。また、通気孔を有する筒状の回転部材を、回転部材の両端部の軸受板の軸孔を介して前記吸引軸体に回転自在に取り付け、前記吸引軸体外面と該回転部材内面から作られる吸引空間を大きく形成しているので、吸引空間全体に吸引力を働かせ、捕集シートに塵埃を捕集可能とすると共に、該捕集した塵埃を捕集シートに保持させることができる。更に、棚面、床面などに付着している汚れについても、回転部材の回転を抑制して、拭きながら清掃できるので、あらゆる塵埃、汚れを簡単に除去できるという効果も有する。